(57)【要約】【課題】  脇下汗取りパッドを有していても、フラット性に優れ、アウターに響き難く、着心地が良い上半身用衣類を提供する。【解決手段】  本発明の上半身用衣類１は、身頃部１１及び一対の脇下部汗取りパッド１２を含む上半身用衣類１であって、前記身頃部１１の一対の脇刳り部において、前記身頃部１１を形成する生地の一部が前記一対の各脇刳り部から突出した突出部１２ａが形成されており、前記突出部１２ａが着用時の肌側かつ下方向に折り返されていることにより、前記脇下部汗取りパッド１２が形成されていることを特徴とする。【選択図】  図２
2015086499.tif 000002
【特許請求の範囲】
【請求項１】
身頃部及び一対の脇下部汗取りパッドを含む上半身用衣類であって、
前記身頃部の一対の各脇刳り部において、前記身頃部を形成する生地の一部が前記一対の各脇刳り部から突出した突出部が形成されており、
前記突出部が着用時の肌側かつ下方向に折り返されていることにより、前記脇下部汗取りパッドが形成されていることを特徴とする上半身用衣類。
【請求項２】
前記折り返された突出部は、前記突出部の先端部及び前記折り返しの付け根部分の前身頃側で前記身頃部に固定されていることを特徴とする請求項１記載の上半身用衣類。
【請求項３】
前記折り返しの付け根部分の前記前身頃側への固定領域が、一定の長さを持った固定領域であることを特徴とする請求項２記載の上半身用衣類。
【請求項４】
前記突出部の折り返しが、前記突出部の先端部が前記身頃部の前身頃側に位置するように、前記身頃部の前身頃側に向かう折り返しであり、かつ、前記突出部の折り返しラインが、着用時の水平線に対し傾斜していることを特徴とする請求項１から３のいずれか一項に記載の上半身用衣類。
【請求項５】
前記折り返しラインの着用時の水平線に対する傾斜角度が、３〜４５度の範囲であることを特徴とする請求項４記載の上半身用衣類。
【請求項６】
前記突出部の形状が、前記身頃部の前身頃側の辺が突出し、かつ、前記突出部の先端部が尖状に突出している形状である請求項１から５のいずれか一項に記載の上半身用衣類。
【請求項７】
前記身頃部の生地がフリーカット素材であることを特徴とする請求項１から６のいずれか一項に記載の上半身用衣類。
【請求項８】
ノースリーブ衣類である請求項１から７のいずれか一項に記載の上半身用衣類。
【請求項９】
袖付き衣類である請求項１から７のいずれか一項に記載の上半身用衣類。
【発明の詳細な説明】
【技術分野】
【０００１】
本発明は、上半身用衣類に関する。
【背景技術】
【０００２】
従来から、脇の下の汗を吸収する汗取りパッドを有する上半身用衣類がある。衣類において、脇の下に対応する部位に前記汗取りパッドを取り付ければ、汗の分泌が多い脇の下の着心地がよくなる一方、前記汗取りパッドが外部から視認でき、ファッション性に問題がある。特に、キャミソール及びタンクトップ等のようなノースリーブの上半身用衣類では、脇下の前記汗取りパッドが外部から目立ちやすいという問題がある。この問題を解決するために、特許文献１では、前身頃と後身頃との間に脇下ラインが設けられ、前記脇下ラインを上限として身頃部の本体の内部に前記汗取りパッドが収容された状態で取り付けられている上半身用衣類が提案されている。
【先行技術文献】
【特許文献】
【０００３】
【特許文献１】特開２０１１−７４５２５号公報
【発明の概要】
【発明が解決しようとする課題】
【０００４】
しかし、前記特許文献１の上半身用衣類では、前記身頃部の本体に、別部材である汗取りパッドを取り付けているため、前記身頃部本体に前記汗取りパッドに起因する段差が生じ、また取り付ける際にできる縫製ラインが外部から視認可能となる。このため、特許文献１の上半身用衣類では、前記汗取りパッドそのものが外部から見えることはないが、前記汗取りバッドの取り付けに起因する段差及び縫製ラインの問題があり、このため、衣類のフラット性が充分でなく、アウターに響きやすく、着心地にも問題がある。
【０００５】
そこで、本発明は、脇下部汗取りパッドを有していても、フラット性に優れ、アウターに響き難く、かつ、着心地が良い上半身用衣類を提供することを目的とする。
【課題を解決するための手段】
【０００６】
前記目的を達成するために、本発明の上半身用衣類は、
身頃部及び一対の脇下部汗取りパッドを含む上半身用衣類であって、
前記身頃部の一対の各脇刳り部において、前記身頃部を形成する生地の一部が前記一対の各脇刳り部から突出した突出部が形成されており、
前記突出部が着用時の肌側かつ下方向に折り返されていることにより、前記脇下部汗取りパッドが形成されていることを特徴とする。
【発明の効果】
【０００７】
本発明の上半身用衣類は、前記のような構成であるため、脇下部汗取りパッドを有していても、フラット性に優れ、アウターに響き難く、かつ、着心地が良いという効果を奏する。
【図面の簡単な説明】
【０００８】
【図１】図１は、本発明の第１の実施形態に係る上半身用衣類（キャミソール）を示す図である。図１（ａ）は、前記上半身用衣類の正面図であり、図１（ｂ）は、前記上半身用衣類の側面図である。
【図２】図２（ａ）は、前記第１の実施形態に係る上半身用衣類の展開図であり、図２（ｂ）は、前記上半身用衣類を裏返した状態の概略側面図である。
【図３】図３は、前記第１の実施形態に係る上半身用衣類における別の形態の汗取りパッドを取り付けた状態の説明図である。
【図４】図４は、本発明の第２の実施形態に係る上半身用衣類（タンクトップ）を示す図である。図４（ａ）は、前記上半身用衣類の正面図であり、図４（ｂ）は、前記上半身用衣類の側面図である。
【図５】図５（ａ）は、前記第２の実施形態に係る上半身用衣類の展開図であり、図５（ｂ）は、前記上半身用衣類を裏返した状態の概略側面図である。
【図６】図６は、本発明の第３の実施形態に係る上半身用衣類（袖付き衣類）を示す図である。図６（ａ）は、前記上半身用衣類の正面図であり、図６（ｂ）は、前記上半身用衣類の側面図である。
【図７】図７（ａ）は、前記第３の実施形態に係る上半身用衣類の展開図であり、図７（ｂ）は、前記上半身用衣類を裏返した状態の概略側面図である。
【発明を実施するための形態】
【０００９】
本発明の上半身用衣類について、例をあげて説明する。ただし、本発明は、以下の例に限定及び制限されない。また、各実施形態の記載は、それぞれ、特に示さない限り、他の実施形態において援用できる。各図において、特に示さない限り、同一の部位には、同一の符号を付している。各実施形態において、身頃部の内部側とは、着用時の肌側（身体に対向する側）を意味し、身頃部の外側とは、着用時に、外部に曝される側を意味し、上方向および下方向とは、着用時における上下方向を意味する。
【００１０】
（第１の実施形態）
図１に、本発明の第１の実施形態に係る上半身用衣類（以下、「衣類」ともいう）１を示す。本実施形態において、衣類１は、キャミソールである。図１（ａ）は、衣類１の正面図であり、図１（ｂ）は、衣類１の側面図である。図１（ａ）及び（ｂ）に示すように、本実施形態の衣類１は、身頃部１１、一対の脇下部汗取りパッド（以下、「汗取りパッド」ともいう）１２、及び、一対のストラップ１３を含む。本実施形態において、身頃部１１は、前身頃１１Ａ及び後身頃１１Ｂを含む。なお、図１（ｂ）において、汗取りパッド１２は、身頃部１１の内部側に位置するため点線で示している。
【００１１】
図２に、本実施形態の衣類１における汗取りパッド１２の取り付け状態を説明する図を示す。図２（ａ）は、衣類１の展開図であり、具体的には、衣類１の着用時に肌側となる裏面の展開図であり、図２（ｂ）は、衣類１を裏返した状態の概略側面図である。図２（ａ）及び（ｂ）おいて、二点鎖線は、突出部１２ａ、突出部１２ａにより形成される汗取りパッド１２、前身頃１１Ａ及び後身頃１１Ｂの各領域を分かりやすくするためのものであり、本実施形態の衣類の構成要素ではない。
【００１２】
図２（ａ）に示すように、衣類１は、その脇刳り部１４において、身頃部を構成する生地の一部が略半円状に突出して突出部１２ａが形成されている。そして、図２（ａ）の矢印で示すように、突出部１２ａが着用時の肌側かつ下方向に折り返されていることにより、図２（ｂ）に示すように、脇刳り部１４に汗取りパッド１２が形成されている。本実施形態の衣類１は、ストラップ１３と身頃部１１の脇刳り部１４に腕を通して着用すると、汗取りパッド１２の上辺部が脇に当たり、腕を下ろした状態で汗取りパッド１２が脇に挟まれるようになる。このため、汗取りパッド１２が脇にフィットし、脇の下の汗を逃すことなく吸収することができる。また、本実施形態では、身頃部１１の生地の一部を使って汗取りパッド１２を形成しているため、別部材の汗取りパッドを身頃部に取り付けるのに比べて、衣類に段差が生じ難くなり、フラット性に優れ、その結果、汗取りパッドがアウターに響きにくくなり、また、着心地もよくなる。本実施形態において、汗取りパッド１２のサイズは、特に制限されず、衣類のサイズに応じて適宜設定できる。
【００１３】
図２（ｂ）に示すように、図２（ａ）の突出部１２ａが折り返されて形成された汗取りパッド１２は、突出部１２ａの先端部Ｔ１及び前記折り返しの付け根部分の前身頃側の部分Ｔ２で身頃部１１（具体的には、前身頃１１Ａ）に固定（固着ともいう）されており、その他の部分は身頃部１１から遊離した状態である。このような構成であれば、身頃部１１と汗取りパッド１２との間に空気が通る通気部が形成され、その結果、通気性が良くなる。また、このような構成によれば、前身頃１１Ａ側における突出部１２ａの折り返し開始点と、汗取りパッド１２の下部付近とを固定できるため、例えば、着用時において、身体の動きによって、汗取りパッド１２の位置がずれていくことを防ぎつつ、身体の動きに対するなじみやすさも確保できる。固着の方法は、特に制限されず、例えば、縫着、熱融着、接着等の方法がある。また、固着の有無、数及び位置は、限定されず、適宜設定できる。
【００１４】
また、図２（ｂ）に示すように、汗取りパット１２について、折り返しの付け根部分の前身頃１１Ａ側の部分Ｔ２の固定領域は、一定の長さを持った固定領域である。このような構成であれば、汗取りパッド１２の折り返し状態をしっかり固定することができ、強度がより強くなる。また、図２（ｂ）において、前身頃１１Ａ側の部分Ｔ２は、汗取りパッド１２の固定領域の他に、ストラップ１３の一端の固定領域を兼ねていてもよい。
【００１５】
そして、図２（ｂ）に示すように、突出部１２ａの折り返しによる汗取りパッド１２の形成は、突出部１２ａの先端部が身頃部１１の前身頃１１Ａ側に位置するように、身頃部１１の前身頃１１Ａ側に向かって折り返し、かつ、突出部１２ａの折り返しラインＸ１が、着用時の水平線Ｘ２に対し傾斜している。このように、折り返しラインＸ１が水平線Ｘ２に対し傾斜するように突出部１２ａを前身頃１１Ａ側に向けて折り返すという構成は、人間の腕が、身体の真横よりも前側に動く構造になっていること、及び、脇下において、汗をかきやすい部分が腕の付け根の斜めのライン付近になること、という双方の特徴に対応することになる。したがって、この構成による汗取りパッド１２の配置は、人間の身体の構造及び腕の動作に適したものであり、その結果、汗取りパッド１２が腕の動きにフィットして、体型に関わらずなじみやすくなり、ツッパリ感がないという効果が得られる。折り返しラインＸ１の着用時の水平線に対する傾斜角度、すなわち折り返しラインＸ１と水平線Ｘ２とが形成する角度αは、特に制限されず、例えば、３〜４５度の範囲、好ましくは、５〜３０度の範囲である。
【００１６】
本発明において、身頃部１１は、身頃部１１の伸縮方向が、身頃部１１の縦方向（着用時における身頃部１１の上下方向）となるように形成することが好ましい。また、身頃部１１の生地は、例えば、経方向に伸縮性を示す生地が好ましく、具体的に、身頃部１１の伸縮方向は、前記生地の経方向であることが好ましい。また、身頃部１１は、例えば、伸縮性を示す前記生地の経方向が、身頃部１１の縦方向と並行になるように、形成されることが好ましく、これによって、身頃部１１の縦方向が、伸縮性を示すことになる。このようにすれば、例えば、折り返しラインＸ１が水平線Ｘ２に対して傾斜するように突出部１２ａを前身頃１１Ａ側に向けて折り返して汗取りパッド１２を形成すれば、汗取りパッド１２の伸縮方向は、身頃部１１の前記縦方向（または、身頃部１１の前記生地の経方向）に対して傾斜した方向、つまり腕の動きにあった方向となる。その結果、汗取パッド１２の伸縮が、腕の動きにフィットして着用感がさらに良くなる。
【００１７】
本発明において、身頃部１１及び汗取りパッド１２の生地の種類は、特に制限されないが、フリーカット素材等を用いることが好適である。ここで、フリーカット素材の生地とは、いわゆる生地端始末の不要な生地を意味している。また、生地端始末が不要な生地としては、例えば、弾性糸を生地の編組織に編み込み、その編み込み構造によって生地端が解れにくくしたもの等が挙げられる。また、例えば、生地の編組織に融着糸を編み込んでおき、熱処理を加えることによって、生地端が解れにくくした生地でもよい。さらに、その他のフリーカット素材としては、例えば、生地端部分に、テープもしくは樹脂等を熱処理または接着処理等で固着させることによって、生地端の解れを防止した生地等を用いてもよい。
【００１８】
次に、図３に、図２とは別の形状の汗取りパッド１２の例を示す。図３に示すように、汗取りパッド１２の形状は、身頃部１１の前身頃１１Ａ側の辺Ｌが突出し、かつ、汗取りパッド１２の先端部Ｐが尖状に突出している形状である。これ以外の構成は、図２と同様である。図３に示す汗取りパッド１２の形状において、前身頃１１Ａ側の辺Ｌを突出させることにより、汗をかきやすい部分に対する吸収面積を大きくすることができ、また、先端部Ｐを尖状とすることで、先端部Ｐの身頃部１１への固着作業の際、位置決めが容易となる。
【００１９】
本実施形態では、袖部を有さない衣類としてキャミソールを例にあげて説明したが、この他に、タンクトップにも適用できる。また、本発明は、袖部を有する衣類にも適用でき、さらに、上半身用衣類と下半身用衣類とが一体化されたボディースーツ等の衣類にも適用できる。
【００２０】
（第２の実施形態）
図４に、本発明の第２の実施形態に係る上半身用衣類２を示す。本実施形態において、上半身用衣類２は、タンクトップである。図４（ａ）は、衣類２の正面図であり、図４（ｂ）は、衣類２の側面図である。図４（ａ）及び（ｂ）に示すように、本実施形態の衣類２は、前身頃２１Ａ及び後身頃２１Ｂを含む身頃部２１、並びに一対の汗取りパッド２２を含み、身頃部２１は、前身頃２１Ａの上部と後身頃２１Ｂの上部とが連結した一対の肩紐部２３を有する。
【００２１】
図５に、本実施形態の衣類２における汗取りパッド２２の取り付け状態を説明する図を示す。図５（ａ）は、衣類２の展開図であり、具体的には、衣類２の着用時に肌側となる裏面の展開図であり、図５（ｂ）は、衣類２を裏返した状態の概略側面図である。
【００２２】
図５（ａ）に示すように、衣類２は、その脇刳り部２４において、身頃部を構成する生地の一部が略半円状に突出して突出部２２ａが形成されている。そして、図５（ａ）の矢印で示すように、突出部２２ａが着用時の肌側かつ下方向に折り返されていることにより、図５（ｂ）に示すように、脇刳り部２４に汗取りパッド２２が形成されている。本実施形態の衣類２は、肩紐部２３と身頃部２１の脇刳り部２４に腕を通して着用すると、汗取りパッド２２の上辺部が脇に当たり、腕を下ろした状態で汗取りパッド２２が脇に挟まれるようになる。
【００２３】
（第３の実施形態）
図６に、本発明の第３の実施形態に係る上半身用衣類３を示す。本実施形態において、衣類３は、袖付き衣類（半袖の肌着）である。図６（ａ）は、衣類３の正面図であり、図６（ｂ）は、衣類３の側面図である。図６（ａ）及び（ｂ）に示すように、本実施形態の衣類３は、前身頃３１Ａ及び後身頃３１Ｂを含む身頃部３１、袖部３３、並びに一対の汗取りパッド３２を含む。
【００２４】
図７に、本実施形態の衣類３における汗取りパッド３２の取り付け状態を説明する図を示す。図７（ａ）は、衣類３の展開図であり、具体的には、衣類３の着用時に肌側となる裏面の展開図であり、図７（ｂ）は、衣類３を裏返した状態の概略側面図である。
なお、図７（ａ）および（ｂ）では、汗取りパッド３２の取り付け状態をわかりやすくするため、袖部３３は省略している。
【００２５】
図７（ａ）に示すように、衣類３は、その脇刳り部３４において、身頃部を構成する生地の一部が略半円状に突出して突出部３２ａが形成されている。そして、図７（ａ）の矢印で示すように、突出部３２ａが着用時の肌側かつ下方向に折り返されていることにより、図７（ｂ）に示すように、脇刳り部３４に汗取りパッド３２が形成されている。本実施形態の衣類３は、袖部３３と脇刳り部３４に腕を通して着用すると、汗取りパッド３２の上辺部が脇に当たり、腕を下ろした状態で汗取りパッド３２が脇に挟まれるようになる。
【００２６】
本発明において、袖部の態様は特に制限されない。本発明において、袖部は、例えば、一分袖、二分袖、三分袖等の半袖でもよいし、例えば、七部袖、八分袖等の長袖であってもよい。
【００２７】
以上、本発明の具体例として、キャミソール、タンクトップ及び半袖の肌着をあげて本発明を説明したが、本発明は、これらの具体例で記載されたもののみに限定されるものではなく、種々の態様が可能である。例えば、上記の実施形態のような衣類以外にも、例えば、レオタード、水着、その他各種の衣類に適用できる。
【００２８】
実施形態を参照して本発明を説明したが、本発明は上記実施形態に限定されるものではない。本発明の構成や詳細には、本発明のスコープ内で当業者が理解し得る様々な変更をすることができる。
【産業上の利用可能性】
【００２９】
本発明の上半身用衣類は、効果的に脇の下の汗を吸収可能であり、かつ、通気性がよく、その用途は限定されず広い分野で使用することができる。
【符号の説明】
【００３０】
１  衣類（キャミソール）
２  衣類（タンクトップ）
３  衣類（半袖の肌着）
１１、２１、３１  身頃部
１１Ａ、２１Ａ、３１Ａ  前身頃
１１Ｂ、２１Ｂ、３１Ｂ  後身頃
１２、２１、３１  汗取りパッド
１２ａ、２１ａ、３１ａ  突出部
１３  ストラップ
２３  肩紐部
３３  袖部
１４、２４、３４  脇刳り部
Ｔ１  先端部
Ｔ２  折り返しの付け根部分の前身頃側の部分
Ｘ１  折り返しライン
Ｘ２  水平線
【図１】
2015086499.tif 000003
【図２】
2015086499.tif 000004
【図３】
2015086499.tif 000005
【図４】
2015086499.tif 000006
【図５】
2015086499.tif 000007
【図６】
2015086499.tif 000008
【図７】
2015086499.tif 000009